(57)【要約】      （修正有）【課題】腕章本体とゴム紐の関係を適切なものとした、構造が簡易で、腕への装着が容易、且つ確実に取付けられる腕章を提供する。【解決手段】腕章本体２の一端部２１と他端部２２に各一対の挿通孔３，４，５，６を設け、前記一端部２１の一対の挿通孔３，４と、前記他端部２２の一対の挿通孔５，６に、１本のゴム紐７を挿通して、当該１本のゴム紐７の両端を、一つ又は複数の挿通孔を備えた止め具８の当該挿通孔に挿通して、ゴム紐７の長さが調節可能となるように止め具８で固定する。 【選択図】図１
0003149307.tif 000002
【実用新案登録請求の範囲】
【請求項１】
腕章本体２の一端部２１と他端部２２に各一対の挿通孔３，４，５，６を設け、前記一端部２１の一対の挿通孔３，４と、前記他端部２２の一対の挿通孔５，６に、１本のゴム紐７を挿通して、当該１本のゴム紐７の両端を、一つ又は複数の挿通孔を備えた止め具８の当該挿通孔に挿通して、ゴム紐７の長さが調節可能となるように止め具８で固定したことを特徴とする腕章。
【考案の詳細な説明】
【技術分野】
【０００１】
本考案は、腕に簡単且つ確実に取付けられる腕章に関する。
【背景技術】
【０００２】
従来、腕や衣服の袖に装着する腕章は、単純なものでは布地や軟質合成樹脂シートを円筒状に形成したものが知られている。人それぞれに腕の太さが異なるし、防寒服に合わせた円周長さで作製すると薄着のときにはずり落ちることもよく経験するものである。そこで、ずり落ちないようにするために安全ピンを用いて、これで止めると、大切な服に穴が開いてしまうという不都合がある。
【０００３】
上述したような不都合を解消するため、ゴム紐を用いて、このゴム紐の伸縮性を利用して腕章を腕に取付けるものが知られている（特許文献１）。
【先行技術文献】
【特許文献】
【０００４】
【特許文献１】登録第３１０６４８５号実用新案公報
【考案の概要】
【考案が解決しようとする課題】
【０００５】
上記特許文献１の腕章は、腕章本体を筒状体で形成し、この腕章本体の内側にゴム紐を当該筒状体の内周に沿って配置し、ゴム紐の両端を、腕章本体の適所に形成した穴から外部へ挿通して、紐止め具により固定する構造のものである。
【０００６】
そして、腕章本体の内側に配置したゴム紐がこの筒状体から離脱しないようにするため、筒状体の内側に、ゴム紐を挿通して保持するための輪状体なる保持具を一箇所、設けている。
【０００７】
このように、特許文献１の腕章は、腕章本体は筒状体で一定の長さを有しており、腕に固定するものはゴム紐のみという構成を採るため、筒状体の長さを防寒服に合わせた長さで作製すれば薄着のときにだぶついてしまい、そして、腕への固定は上記のように腕章本体とは別のゴム紐であるため、その固定が良好になされ得ないという不具合を生じる。更に、ゴム紐がこの筒状体から離脱しないようにするための前記輪状体なる保持具は、一箇所だけなので、腕章本体とゴム紐の一体性が万全ではなく、この一体性を向上させようとするには複数の保持具を設けなければならないという新たな不都合を生じ得るものであった。
【０００８】
本考案は、この種の腕章本体とゴム紐の相互関係を再検討してなされたもので、腕にぴったりゴム紐で調節できることを基本にして、しかも腕章の固定はゴム紐と腕章本体の協働でなされ、腕への装着が容易で簡単且つ確実に取付けられる腕章を提案するものである。
【課題を解決するための手段】
【０００９】
本考案は、後記具体例で用いた符号を付して記すと、腕章本体２の一端部２１と他端部２２に各一対の挿通孔３，４，５，６を設け、前記一端部２１の一対の挿通孔３，４と、前記他端部２２の一対の挿通孔５，６に、１本のゴム紐７を挿通して、当該１本のゴム紐７の両端を、一つ又は複数の挿通孔を備えた止め具８の当該挿通孔に挿通して、ゴム紐７の長さが調節可能となるように止め具８で固定した構成の腕章である。
【考案の効果】
【００１０】
以上のとおり、本考案は、腕章本体２の一端部２１と他端部２２に各一対の挿通孔３，４，５，６を設け、前記一端部２１の一対の挿通孔３，４と、前記他端部２２の一対の挿通孔５，６に、１本のゴム紐７を挿通して構成されるので、腕章本体２とゴム紐７とにより腕を伸縮自在に保持し、両者相俟って、確実な腕章の装着状態を得ることができる。そのため、別途に前述した輪状体なる保持具を要しないから、簡易な構造の腕章を得ることができる。また、安全ピン等も要しないから、服に穴を開ける不具合も生じない。
【００１１】
また、本考案は、１本のゴム紐７の両端を、挿通孔を備えた止め具８の当該挿通孔に挿通して固定されるので、ゴム紐７の固定が確実になされ得る。
【００１２】
また、本考案は、止め具８でゴム紐７の長さが調節可能となるように固定しているので、シャツ１枚の薄着でも冬の防寒服でもぴたっとフィットする腕章を得ることができる。
【図面の簡単な説明】
【００１３】
【図１】本考案に係る腕章を正面斜め前方から見た斜視図である。
【図２】本考案に係る腕章を左側から見た図である。
【図３】本考案に係る腕章を背面側から見た図である。
【図４】本考案に係る腕章の分解状態を示す図である。
【図５】本考案に用いる止め具を示す図である。
【考案を実施するための形態】
【００１４】
以下、本考案を図面に基づいて説明する。
【００１５】
図１乃至図４において、本考案の一具体例に係る腕章１は、横長矩形状の腕章本体２、ゴム紐７、止め具８、必要により用いられる保持具９により構成される。
【００１６】
腕章本体２は、一端部２１と他端部２２に各一対の挿通孔３，４，５，６を設ける。腕章本体２の表面２３には光沢のある織生地（例えばエンブクロス）を使用し、裏面２４に裏地を貼り合わせて構成されている。この例では、表面２３に「防犯」の文字を記載している腕章を示している。尚、本例の腕章１は、その他、「交通安全」、「警備」、運動会等の「記録」、市民自主防災隊等における「班長」、地域活動における「組長」、事業所等における「場内作業許可者」等々を記載するものに用いられる。
【００１７】
本例において、腕章本体２の前記一端部２１の一対の挿通孔３，４の一方の挿通孔３からゴム紐７の一方の端部７１（７２）を挿通して、前記他端部２２の一対の挿通孔５，６に挿通し更に前記一端部２１の挿通孔３，４の他方の挿通孔４に当該ゴム紐を挿通し、前記１本のゴム紐７の各端部７１，７２を、止め具８で固定する。尚、１本のゴム紐７の各端部７１，７２をそれぞれ、一方は挿通孔５から挿通孔３に、また、他方は挿通孔６から挿通孔４に、挿通するようにしてよいことは勿論である。
【００１８】
尚、本例の腕章１の場合、前記各挿通孔３，４，５，６には、補強用の金属製リングを装着している。
【００１９】
また、本例の止め具８は、図５に示すように、上方開口の筒体８１に摺動ピン８２を挿入し、筒体８１の下部にはコイルばね８３を収納している。筒体８１及び摺動ピン８２には、ゴム紐７を挿通する一つ又は複数の挿通孔（本例では複数の挿通孔８１ａ，８１ｂ，８２ａ，８２ｂ）を備える。
【００２０】
前記ゴム紐７の長さは、このゴム紐７の両端部を、挿通孔８１ａ，８１ｂ，８２ａ，８２ｂを備えた止め具８の当該挿通孔に挿通して、適宜の伸縮状態となったところで止め具８で固定する。
【００２１】
即ち、筒体８１に摺動ピン８２を挿入して、コイルばね８３に抗して押圧し、筒体８１の挿通孔８１ａと摺動ピン８２の挿通孔８２ａ、筒体８１の挿通孔８１ｂと摺動ピン８２の挿通孔８２ｂが一致するようにしておき、ゴム紐７をそれぞれの挿通孔８１ａ，８１ｂ，８２ａ，８２ｂに挿通した後、ゴム紐７を引張って適宜の伸縮状態となったところで、摺動ピン８２の押圧をやめれば、ゴム紐７は挿通孔８１ａ，８１ｂ，８２ａ，８２ｂに挟まれるので、これにより止め具８で固定されることになる。尚、止め具８は、筒体８１及び摺動ピン８２に各一つの挿通孔を設けたものであってもよい。
【００２２】
前記保持具９は、基部９１と蓋部９２が開閉可能に連結されて構成されている。そして、前記ゴム紐７の両端部７１，７２を、この開閉可能な保持具９を閉じることにより、保持することができる。これにより、ゴム紐７の両端部７１，７２が結合されるので、納まりと見栄えが良好になる。
【００２３】
このようにして、本例の腕章１は、腕章本体２とゴム紐７とにより腕を伸縮自在に保持し、両者相俟って、確実な腕章の装着状態を得ることができる。これにより、簡易な構造の腕章を得ることができる。また、安全ピン等も要しないから、服に穴を開ける不具合も生じない。
【００２４】
また、本例の腕章１は、１本のゴム紐７の両端を、挿通孔８１ａ，８１ｂ，８２ａ，８２ｂを備えた止め具８の当該挿通孔に挿通して固定されるので、ゴム紐７の固定が確実になされ得る。
【００２５】
また、本例の腕章１は、止め具８でゴム紐７の長さが調節可能となるように固定しているので、シャツ１枚の薄着でも冬の防寒服でもぴたっとフィットする腕章を得ることができる。
【００２６】
以上のとおり、本例の腕章１によれば、腕にぴったりゴム紐で調節でき、しかも腕章の固定はゴム紐と腕章本体の協働でなされ、腕への装着が容易で簡単且つ確実に取付けられる腕章を得ることができるものである。
【産業上の利用可能性】
【００２７】
本考案は、腕に装着する各種の腕章に好適である。
【符号の説明】
【００２８】
１    腕章
２    腕章本体
２１    一端部
２２    他端部
２３    表面
２４    裏面
３    挿通孔
４    挿通孔
５    挿通孔
６    挿通孔
７    ゴム紐
７１    端部
７２    端部
８    止め具
８１    筒体
８１ａ    挿通孔
８１ｂ    挿通孔
８２    摺動ピン
８２ａ    挿通孔
８２ｂ    挿通孔
８３    コイルばね
９    保持具
９１    基部
９２    蓋部
【図１】
0003149307.tif 000003
【図２】
0003149307.tif 000004
【図３】
0003149307.tif 000005
【図４】
0003149307.tif 000006
【図５】
0003149307.tif 000007